(57)【要約】【課題】モードダイアルにて選択される撮影モードを、表示器により分かりやすく、且つ自然な操作感が得られるように表示する。【解決手段】ダイアル操作で選択されたモードをアイコンで表示するようにするとともに、撮影モードが異なる第一のゾーンと第二のゾーンにおける各モードをダイアルで選択する際に各ゾーンの境部から第一ゾーン内のモードを選択する時におけるアイコンの移動方向と、各ゾーンの境部から第二ゾーン内のモードを選択する時におけるアイコンの移動方向を同一方向とする。【選択図】　　　図５
2004085670.tif 000002
【特許請求の範囲】
【請求項１】
停止位置に応じて撮影モードを選択するためのモードダイアルと、
前記モードダイアルによって第一の種類に属する複数の撮影モードを選択できる第一のゾーンと、
前記モードダイアルによって第二の種類に属する複数の撮影モードを選択できる第二のゾーンと、
前記モードダイアルの停止位置を指し示す指標と、
カメラの各種情報を表示するための外部情報表示手段と、
前記外部表示手段上に設けられ、列状に並んで配置された複数のアイコンが設けられ、各アイコンが前記モードダイアルによって選択された各撮影モードをそれぞれ表すものであって、ダイアルにより選択状態の撮影モードを表すアイコンが他のアイコンとは異なる指示状態となるカメラにおいて、
前記第一のゾーンと第二のゾーンの境部におけるダイアルの停止位置から第一のゾーン内で前記第二ゾーンを離れる停止位置方向にダイアルが操作された時、アイコンを第一の方向に順次指示状態に移行させ、ダイアルが第一のゾーン内で逆の停止位置方向に操作された時、前記アイコンを第一とは逆の第二の方向に順次指示状態に移行させ、一方、前記第一のゾーンと第二のゾーンの境部におけるダイアルの停止位置から第二のゾーン内で前記第一ゾーンを離れる停止位置方向にダイアルが操作された時、アイコンを第一の方向に順次指示状態に移行させ、ダイアルが第二のゾーン内で逆の停止位置方向に操作された時、前記アイコンを第一とは逆の第二の方向に順次指示状態に移行させることを特徴とするカメラ。
【請求項２】
請求項１記載のカメラにおいて、前記第一のゾーンと、前記第二のゾーンとの間に、前記カメラの主電源をオフとする前記モードダイアルの停止位置を有することを特徴とするカメラ。
【請求項３】
請求項１記載のカメラにおいて、前記アイコンは２列に配置され、第一のゾーンのモードを表すアイコンと第二のゾーンのモードを表すアイコンとは異なる列に属している事を特徴とするカメラ。
【発明の詳細な説明】
【０００１】
【発明の属する技術分野】
本発明はカメラ、その中でも撮影モードを選択、表示することが可能なカメラに関するものである。
【０００２】
【従来の技術】
撮影モードを選択、表示することが可能な従来例として、特開平０５−３３３４２１という提案がある。これは選択されている撮影モードを外部、およびファインダ内部のＬＣＤを用いて、７セグメント＋αによって構成される文字で表現している。
【０００３】
【発明が解決しようとする課題】
しかしながら、７セグメントを用いた表示では、１文字、もしくは２文字のアルファベットによって表現することとなり、使用者はアルファベットとその意味の対応を記憶しなければ、どのモードが選択されているのか分からない。また、表示が同じ場所で部分的に切り替わっていくため、次に選択されるモードを想像することができず、モード選択をスムーズに行うことが難しい。
【０００４】
また、ＬＣＤへのアイコン表示を行う場合、ＬＣＤ上に多くの面積が必要になり、ＬＣＤアイコンのレイアウトにも制約が多くなる。このときに、ＬＣＤアイコンのレイアウトがきちんとなされていないと、ダイヤル操作に対してＬＣＤアイコンが不自然に移動する、操作性の悪いものとなってしまう。
【０００５】
【課題を解決するための手段】
上記問題点を解決するために、請求項１の本発明では、停止位置に応じて撮影モードを選択するためのモードダイアルと、
前記モードダイアルによって第一の種類に属する複数の撮影モードを選択できる第一のゾーンと、
前記モードダイアルによって第二の種類に属する複数の撮影モードを選択できる第二のゾーンと、
前記モードダイアルの停止位置を指し示す指標と、
カメラの各種情報を表示するための外部情報表示手段と、
前記外部表示手段上に設けられ、列状に並んで配置された複数のアイコンが設けられ、各アイコンが前記モードダイアルによって選択された各撮影モードをそれぞれ表すものであって、ダイアルにより選択状態の撮影モードを表すアイコンが他のアイコンとは異なる指示状態となるカメラにおいて、
前記第一のゾーンと第二のゾーンの境部におけるダイアルの停止位置から第一のゾーン内で前記第二ゾーンを離れる停止位置方向にダイアルが操作された時、アイコンを第一の方向に順次指示状態に移行させ、ダイアルが第一のゾーン内で逆の停止位置方向に操作された時、前記アイコンを第一とは逆の第二の方向に順次指示状態に移行させ、一方、前記第一のゾーンと第二のゾーンの境部におけるダイアルの停止位置から第二のゾーン内で前記第一ゾーンを離れる停止位置方向にダイアルが操作された時、アイコンを第一の方向に順次指示状態に移行させ、ダイアルが第二のゾーン内で逆の停止位置方向に操作された時、前記アイコンを第一とは逆の第二の方向に順次指示状態に移行させたものである。
【０００６】
請求項２の発明は請求項１記載のカメラにおいて、前記第一のゾーンと、前記第二のゾーンとの間に、前記カメラの主電源をオフとする前記モードダイアルの停止位置を設けたものである。
【０００７】
請求項３の発明は請求項１記載のカメラにおいて、前記アイコンは２列に配置され、第一のゾーンのモードを表すアイコンと第二のゾーンのモードを表すアイコンとは異なる列に属させたものである。
【０００８】
【発明の実施の形態】
（第一の実施の形態）
本発明に関して、以下、第一の実施の形態の詳細の説明を行う。
【０００９】
図１は本発明を適応したカメラの背面斜視図、図２は正面斜視図である。１がカメラを示し、その構成要素の概略を説明していく。２は背蓋であり、カメラ本体に対して不図示のヒンジで回転して開閉ができるよう固定されており、開放つまみ３の操作によって不図示のラッチ機構が開放されて開く。この状態で撮影フイルムの出し入れが行える。閉じるときは本体側に押し付けることでラッチが掛かり、閉じた状態で固定される。４はフイルム確認窓で、カメラ内部に装填されたフイルムの在否が確認でき、装填されているときには、パトローネに記載されているフイルムの情報を読み取ることができる。５は外部表示液晶であり、カメラのＴｖ値、Ａｖ値など撮影設定状態や、フイルムカウンタなどを表示する。ここでは全点灯状態を示している。６はＦＵＮＣマークで、ＦＵＮＣによって設定される機能を表示している。７はＡｖ＋／−ボタンで、マニュアルモード時にはＡｖ＋／−ボタンを押しながら後述の電子ダイアルを操作するとカメラの絞り値を変更することができる。マニュアルモード以外のモードが選択されているときには、同じくＡｖ＋／−ボタンを押しながらの電子ダイアルの操作によって設定された露出値を補正することができる。さらに、ＳＥＴ機能も併せ持ち、時計合わせを行った際の確定ボタンともなる。８はＦＵＮＣボタンでカメラの各種機能の設定を行う。一度ＦＵＮＣボタンを押すと、外部表示液晶の矢印がＦＵＮＣマーク６の“ＤＡＴＥ”部を指し示し、ＤＡＴＥ機能に関しての設定が行える。ＦＵＮＣボタンを繰り返し押すと、ＤＡＴＥ→ＩＳＯ→赤目→電子音→多重露出→ＡＥＢの順に外部表示液晶５の指し示す矢印が移動して、それぞれの状態で電子ダイアルを操作することによって各機能の設定が行える。９は照明ボタンで、一度押すと外部表示液晶５のバックライトが点灯、タイマーによっても自動消灯するが、点灯中に再度押すことで強制的に消灯することができる。１０はフイルム途中巻き戻しボタンで、装填されたフイルムを途中で取り出す際に巻き戻しを開始するためのボタンである。１１は部分測光・ＡＥロックボタンであり、このボタンを押すと、その時に部分測光したＡＥ値に所定時間固定される。１２はＡＦフレーム選択ボタンであり、このボタンを押して電子ダイアル１５を操作すると外部表示液晶に示された測距点が移動して、任意の測距点を選択することができる。１３はドライブボタンで、押すたびに給送モードが”一枚撮影”→”連続撮影”→”セルフタイマ・ワイヤレスリモコン”の順に切り替わる。１４はモードダイアルであり、カメラの電源がオフする”ＯＦＦ”のポジションを境に時計回り回転させると被写体の種類を選択することでカメラが最適な露出を決定するイメージゾーンに、反時計回りに回転させると使用者が思い通りの露出決定を行えるクリエイティブゾーンになる。ダイアル１４上に描かれたアイコンを回転させてモードダイアル指標２１に合わせることで、撮影時のカメラの動作モードが決定される。１５は電子ダイアルであり、上記でも説明したように、各種設定時にこれを用いてパラメータを変化させる。１６は二段階のストロークを持つレリーズボタンであり、一段階目のクリック（以下ＳＷ１と称する）でＡＦ／ＡＥを確定し、二段階目のクリック（以下ＳＷ２と称する）にてミラーアップ、シャッタ作動（露光）、ミラーダウン、フイルム給送という一連の撮影動作が行われる。１７はファインダで、ここを覗くことで撮影画像の確認が行える。１８は視度調整つまみであり、使用者毎の視力に合わせて視度を切り替えることができる。１９は内臓ストロボであり、状況に応じてカメラ、もしくは使用者が必要に応じてアップさせストロボを発光する。２０はアクセサリシューであり、外付けストロボのようなアクセサリを取り付けるためのインターフェイスである。２１はモードダイアル指標であり、モードダイアル１４の選択されているアイコンを指し示す。
【００１０】
２２はストロボ発光部であり、ストロボポップアップ時には被写体に向いてストロボ光を射出し光量不足を補う。２３は赤目緩和ランプ窓であり、赤目緩和モードでストロボを発光するときには撮影動作直前に所定時間点灯し、被写体となる人物の瞳孔閉鎖を促し、赤目現象の発生を緩和する。２４はワイヤレスリモコン受光窓であり、ワイヤレスリモコンモード時にワイヤレスリモコンからの信号を内部に配置された不図示のリモコン受光素子で受光する窓である。また、ワイヤレスリモコン受光窓２４は同時にセルフタイマ作動ランプの投光窓も兼ねており、内部に配置された不図示のＬＥＤがセルフタイマ作動時に点滅して、その動作を被写体となる人物に告知する。２５はマウントインターフェースで、不図示のレンズがここに突き当てられ、バヨネット構造によって取り付けられる。２６はマウントロック解除ボタン、２７はマウントロックピンで、不図示のレンズを取り外す際には、マウントロック解除ボタン２６を押すと、連動してマウントロックピン２７と不図示のレンズとの係合が外れ、不図示のレンズは回転可能となってバヨネットから外れることが可能となる。２８はストロボアップボタンで、撮影モードがクリエイティブゾーンにあるときには、このボタンを押すことで自動的に内臓ストロボ２２がポップアップし、撮影時に発光する。２９は被写界深度確認ボタンで、このボタンを押すと、撮影待機状態のレンズの絞りが、そのときに設定されている絞りに絞り込まれ、撮影した時の合焦状態を確認することができる。３０はワイヤードリモコンジャックであり、不図示のワイヤードリモコンのプラグをここに差し込むことでワイヤードリモコンによるＳＷ１／ＳＷ２の操作が可能となる。３１は三脚穴であり、三脚についた三脚ねじをここにねじ込むことで、カメラと三脚が一体に固定される。３２は電池蓋、３３は電池蓋開放レバであり、電池蓋開放レバ３２を操作すると電池蓋３２が開放されて、電池の挿抜が可能となる。
【００１１】
モードダイアル１４の詳細を図３を用いて説明する。
【００１２】
ダイアルアイコンが１４ａから１４ｍまであり、ダイアル指標２１に向き合っているダイアルアイコンが選択されている動作モードを指し示す。１４ａは”ＯＦＦ”、カメラの電源を落とすときにここを選択する。１４ｂは”全自動”、あらかじめ定められたシャッター速度（以下Ｔｖ値）と絞り値（以下Ａｖ値）の組み合わせの中から測光した結果に対応した組み合わせを選択し、カメラが必要と判断した時には内蔵ストロボ１９を自動的にポップアップして発光する。１４ｃは”ポートレート”、人物が浮かび上がり、背景がボケるような写真が撮れる。１４ｄは”風景”、広がりのある風景や夜景を撮れる。１５ｅは”クローズアップ”、花や虫を大きく写すことができる。１５ｆは”スポーツ”、動きのある被写体の撮影に適しており、給送モードは自動的に”連続撮影”に切り替わる。１５ｇは”夜景”、夜間でも手前の被写体と、ストロボ光が届かない風景の双方が適正露出となる。１４ｈは”ストロボ禁止全自動”、全自動ではあるが、ストロボは常時禁止するモード。これら１４ｂから１４ｈまでは、被写体のイメージを選択することで最適な撮影を行う”イメージゾーン”としてまとめられている。１４ｉは”プログラム”露出は所定のＴｖ値とＡｖ値の組み合わせから選ばれるが、ストロボ発光の有無は使用者がストロボポップアップボタン２８を操作してストロボ２１をポップアップさせるか、もしくはストロボ２１を手動で収納してポップダウンすることで決定される。１４ｊは”シャッター優先ＡＥ”、使用者が選択したＴｖ値に応じてＡｖ値をカメラが決定する。１４ｋは”Ａｖ優先ＡＥ”、使用者が選択したＡｖ値に応じてＴｖ値をカメラが決定する。１４ｌは”マニュアル”、Ｔｖ値、Ａｖ値、ともに使用者が決める。１４ｍは”自動深度優先ＡＥ”、７点ある測距点のいずれにも合焦するようにカメラがＡｖ値を決め、それに応じたＴｖ値も決定して撮影を行う。これら１４ｉから１４ｍまでは使用者が意思をもってカメラの動作モードを設定する”クリエイティブゾーン”としてまとまっている。
【００１３】
外部表示液晶５について説明する。
【００１４】
図４は外部表示液晶５とＦＵＮＣマーク４が記載されている。外部表示液晶５の“２０００　５．６”から下は撮影設定条件詳細を表示するエリアであり、Ｔｖ値、Ａｖ値から露出補正値まで、各種撮影設定条件などが表示される。その右にある三角マークは選択されているＦＵＮＣマーク４を指し示す。５ｂから５ｍはモードダイアル１４によって選択された撮影モードを外部表示液晶５に表示するＬＣＤアイコンである。５ｂは”全自動”、５ｃは”ポートレート”、５ｄは”風景”、５ｅは”クローズアップ”、５ｆは”スポーツ”、５ｇは”夜景”、５ｈは”ストロボ禁止全自動”。これらイメージゾーンのＬＣＤアイコンは上段に一列に配置されている。５ｉは”プログラム”、５ｊは”シャッター優先ＡＥ”、５ｋは”Ａｖ優先ＡＥ”、５ｌは”マニュアル”、５ｍは”自動深度優先ＡＥ”。これらクリエイティブゾーンのＬＣＤアイコンは下段に一列に配置されている。このように、照明ボタン９の操作によって照明することができる外部表示液晶５内に選択された動作モードを表示するようにしたことで、周囲が暗いときにも、選択されているモードを確認することができる。
【００１５】
モードダイアル１４と外部表示液晶５との関係を図５に基づいて説明する。
モードダイアル１４は”ストロボ禁止全自動”を起点に反時計回りに回転させると”自動深度優先ＡＥ”まで、段階的に回転する。その中の”ポートレート”から”シャッター優先ＡＥ”までを抜粋したものが図５である。
【００１６】
”ストロボ禁止全自動”から”全自動”まで、イメージゾーンを反時計回りに回転させると外部表示液晶５上のＬＣＤアイコンは外部液晶表示５の動作モード表示部上段で右から左に移動して表示される。”全自動”からさらに一段反時計回りに回転させると、”ＯＦＦ”となり、外部表示液晶５の画面はフイルムカウンタとパトローネマークを残して消灯する。”ＯＦＦ”から反時計回りに一段回転させると”プログラム”に切り替わり、外部表示液晶５には、動作モード表示部下段左に”プログラム”を表すＬＣＤアイコンが表示される。さらにモードダイアル１４を反時計回りに回転させ、クリエイティブゾーンを移動させると、外部表示液晶５の動作モード表示部下段を左から右に移動していく。
【００１７】
上述したように外部表示液晶５上のカメラの動作モードを表示をＬＣＤアイコンとしているので、アイコンを見れば、一目でその機能を理解できる。また、ＬＣＤアイコンの配列を、イメージゾーンとクリエイティブゾーンで上下段に分ける。そしてモードダイアル１４を”ＯＦＦ”から順に回転していったときに、イメージゾーンもクリエイティブゾーンも、同じ側からＬＣＤアイコンの表示がスタートし、同一方向にＬＣＤアイコンが移動する。このようになっているので、使用者はモードダイアル１４の回転操作に対して外部表示液晶５のＬＣＤアイコンの移動がスムーズに連動して見えるので、非常に操作感が自然で使い易いものとなる。特に、本実施の形態では、モードダイアル１４と外部表示液晶５が異なる面に配置しているため、モードダイアル１４の操作方向と外部表示液晶５のＬＣＤアイコンの移動方向の関係が途中で逆転しても気にならず、見た目のスムーズな移行の方が重要である。”ＯＦＦ”を跨いで操作をするときには、外部表示液晶５のＬＣＤアイコンは上下段にずれるだけ、左右方向は移動しないので、ＬＣＤアイコンが突然移動して困惑するようなことにもならない。
【００１８】
本実施の形態ではモードダイアル１４と外部表示液晶５がカメラ１の異なる面に配置されているが、これが同一平面上にあっても、効果になんら影響を及ぼさない。
【００１９】
本実施の形態では外部表示装置にＬＣＤを利用しているが、これが例えばＯＥＬのような別の手段であっても、求める効果を得ることが可能である。
【００２０】
本実施の形態ではＬＣＤアイコンの移動方向が横方向で記載しているが、これが逆方向であったり、縦方向であっても、同様の効果を得ることができる。
【００２１】
本実施の形態ではモードダイアル１４にダイアルアイコンを印刷してあるが、ここにアイコンが印刷されていなくても外部表示液晶５にＬＣＤアイコンがあるので、機能上問題はない。
【００２２】
（第二の実施の形態）
以下に第二の実施の形態の詳細な説明を行う。
【００２３】
本発明を適応したカメラは基本的には第一の実施の形態と同じものであるので、詳細な説明を省く。ただし、モードダイアル１４にあった”ＯＦＦ”が無くなり、独立して不図示の電源スイッチが設けられて、モードダイアル１４からは電源機能が省かれている。また、外部表示液晶５は横長タイプにデザインを変更している。従って、以下の説明では外部表示液晶５は外部表示液晶３４に、モードダイアル１４はモードダイアル３５に番号を振り替えて説明を進めていく。
【００２４】
モードダイアル３５について図６を用いて説明を行う。
【００２５】
上述の通り、ダイアルアイコンからは”ＯＦＦ”が取り除かれ、３５ｂから３５ｍまでが印刷されている。３５ｂは”全自動”、３５ｃは”ポートレート”、３５ｄは”風景”、３５ｅは”クローズアップ”、３５ｆは”スポーツ”、３５ｇは”夜景”、３５ｈは”ストロボ禁止全自動”。ここまでが被写体のイメージからカメラの動作を選択するイメージゾーン。３５ｉは”プログラム”、３５ｊは”シャッター優先ＡＥ”、３５ｋは”Ａｖ優先ＡＥ”、３５ｌは”マニュアル”、３５ｍは”自動深度優先ＡＥ”。使用者が意思をもってカメラの動作モードを設定する”クリエイティブゾーン”となっている。これらがダイアル指標２１に対向している動作モードが選択される点は変わらない。
【００２６】
外部表示液晶３４について図７を用いて説明を行う。３４ｂは”全自動”、３４ｃは”ポートレート”、３４ｄは”風景”、３４ｅは”クローズアップ”、３４ｆは”スポーツ”、３４ｇは”夜景”、３４ｈは”ストロボ禁止全自動”、３４ｉは”プログラム”、３４ｊは”シャッター優先ＡＥ”、３４ｋは”Ａｖ優先ＡＥ”、３４ｌは”マニュアル”、３４ｍは”自動深度優先ＡＥ”。外部表示液晶３４は横長にデザインされていることが特徴であり、動作モードを示すＬＣＤアイコンは一列に並んでいて、イメージゾーンのアイコンと、クリエイティブゾーンのアイコンがひとつおきに配置されている。
【００２７】
モードダイアル３５と外部表示液晶３４との関係を図８を用いて説明する。
モードダイアル３５は”ストロボ禁止全自動”からスタートして反時計回りに”自動深度優先ＡＥ”まで、各アイコン毎に指標に対向した位置でクリックによって停止する。これらの状態の中で、”ポートレート”から”シャッター優先ＡＥ”までを抜粋して図示している。
【００２８】
モードダイアル３５を”ストロボ禁止全自動”から”全自動”まで、イメージゾーンを反時計回りに回転させると、外部表示液晶３４上のＬＣＤアイコンは右から左に、ひとつおきに、スムーズに移動していく。モードダイアル３５を更に反時計回りに回転させると、この度はクリエイティブゾーンに入り、”自動深度優先モード”まで、外部表示液晶３４のＬＣＤアイコンは左から右へ、ひとつおきに移動して行く。
【００２９】
このように、イメージゾーンではモードダイアル３５に対して外部表示液晶３４のＬＣＤアイコンは一方向に移動し、クリエイティブゾーンに移行すると、ＬＣＤアイコンの移動方向が逆転し、そのまま、一方向に移動するように構成されている。その結果ダイアル３５に対してＬＣＤアイコンがスムーズに移動して、使用感の良いカメラを提供することができるとともに、ゾーンが切り替わるときに、ＬＣＤアイコンの移動方向が切り替わるので、使用者にゾーンを移行したことを告知することも可能となる。
【００３０】
【発明の効果】
以上説明してきたように、本発明によって以下の効果を得ることができる。
【００３１】
本発明のによれば、モードダイアルの回転に対して、スムーズにアイコンが移動しつつ、ゾーン切り替わりの時に、アイコン移動方向が逆転することで、直感的にゾーン移行を知ることができ、かつ、数多くのＬＣＤアイコンを横幅を抑えた配置を実現できる。
【図面の簡単な説明】
【図１】本発明の第一の実施の形態を適応したカメラの背面斜視図
【図２】本発明の第一の実施の形態を適応したカメラの前面斜視図
【図３】本発明の第一の実施の形態を適応したカメラのモードダイアル
【図４】本発明の第一の実施の形態を適応したカメラの外部表示液晶
【図５】本発明の第一の実施の形態を適応したモードダイアルと外部表示液晶の関係
【図６】本発明の第二の実施の形態を適応したカメラのモードダイアル
【図７】本発明の第二の実施の形態を適応したカメラの外部表示液晶
【図８】本発明の第二の実施の形態を適応したモードダイアルと外部表示液晶の関係
【符号の説明】
１　カメラ
２　背蓋
３　開放つまみ
４　フイルム確認窓
５　外部表示液晶
６　ＦＵＮＣマーク
７　Ａｖ＋／−ボタン
８　ＦＵＮＣボタン
９　照明ボタン
１０　フイルム途中巻き戻しボタン
１１　部分測光・ＡＥロックボタン
１２　ＡＦフレーム選択ボタン
１３　ドライブボタン
１４　モードダイアル
１５　電子ダイアル
１６　レリーズボタン
１７　ファインダ
１８　視度調整つまみ
１９　内臓ストロボ
２０　アクセサリシュー
２１　モードダイアル指標
２２　ストロボ発光部
２３　赤目緩和ランプ窓
２４　ワイヤレスリモコン受光窓
２５　マウントインターフェース
２６　マウントロック解除ボタン
２７　マウントロックピン
２８　ストロボアップボタン
２９　被写界深度確認ボタン
３０　ワイヤードリモコンジャック
３１　三脚穴
３２　電池蓋
３３　電池蓋開放レバ
【図１】
2004085670.tif 000003
【図２】
2004085670.tif 000004
【図３】
2004085670.tif 000005
【図４】
2004085670.tif 000006
【図５】
2004085670.tif 000007
【図６】
2004085670.tif 000008
【図７】
2004085670.tif 000009
【図８】
2004085670.tif 000010